(57)【要約】【課題】  仮想的、現実の自分の顔で的確なメイクアップのアドバイスを可能にする。【解決手段】通信回線200を経由するメイクアップ支援システムに、ユーザー端末102からの顔の画像に基づき複数のメイクアップの候補を作成し、ユーザー端末から選択されたメイクアップ候補に基づきメイクアップ済みの顔の画像にアドバイスを行い、さらに、ユーザー端末からの店頭メイクアップの予約を受けた場合、予約問合後の予約通知に基づきユーザー端末に予約の回答を行うメイクアップ支援サーバ１０１と、店頭メイクアップを行う店舗に配置され、メイクアップ支援サーバの配下にあって選択された任意の店頭メイクアップの予約問合せに対して予約回答通知を行い、メイクアップ支援サーバから、顔の画像、メイクアップの候補、メイクアップ済みの顔の画像、メイクアップ済みの顔の画像に対するアドバイスを取得するメイクアップ店舗端末103とを備える。【選択図】図１
2005044195.tif 000002
【特許請求の範囲】
【請求項１】
通信回線を経由するメイクアップ支援システムにおいて、
通信回線を経由するユーザー端末からの顔の画像データに基づき複数のメイクアップの候補を作成し、前記ユーザー端末から選択された任意のメイクアップ候補に基づきメイクアップ済みの顔の画像データにアドバイスを行い、さらに、前記ユーザー端末からの前記店頭メイクアップの予約を受け、予約問合せ後に予約回答が通知され、前記ユーザー端末に予約の回答を行うメイクアップ支援サーバと、
店頭メイクアップを行う店舗に配置され通信回線を経由する端末で、前記メイクアップ支援サーバの配下にあり、前記メイクアップ支援サーバにより選択され、前記メイクアップ支援サーバからの前記店頭メイクアップの予約問合せに対して前記メイクアップ支援サーバに予約回答通知を行い、前記メイクアップ支援サーバから、前記顔の画像データ、前記メイクアップの候補、前記メイクアップ済みの顔の画像データ、メイクアップ済みの顔の画像データに対する前記アドバイスを取得するメイクアップ店舗端末とを備えることを特徴とするメイクアップ支援システム。
【請求項２】
前記メイクアップ支援サーバでは前記ユーザー端末から選択されたメイクアップ候補と共に手持化粧品リストが送信された場合、不足分の化粧品を送付したことを通知することを特徴とする、請求項１に記載のメイクアップ支援システム。
【請求項３】
通信回線を経由するメイクアップ支援方法において、
通信回線を経由してユーザー端末からメイクアップ支援サーバに顔の画像データを送信する工程と、
送信された顔の画像データに基づき複数のメイクアップの候補を作成し、メイクアップ支援サーバから、通信回線を経由して、ユーザ端末に送信する工程と、
送信された複数のメイクアップの候補から任意に選択されたメイクアップ候補に基づくメイクアップ済みの顔の画像データをユーザ端末からメイクアップ支援サーバに送信する工程と、
送信されたメイクアップ済みの顔の画像データに基づきメイクアップのアドバイスを作成し、メイクアップ支援サーバからユーザ端末に送信する工程と、
送信されたメイクアップのアドバイスに基づく修正に満足できない場合には店頭のメイクアップアドバイスの予約をユーザ端末からメイクアップ支援サーバに送信する工程と、
店頭メイクアップを行う店舗に配置され通信回線を経由しメイクアップ支援サーバの配下にある複数のメイクアップ店舗端末から選択した任意のメイクアップ店舗端末に対してメイクアップ支援サーバから店頭メイクアップの予約問合わせを行う工程と、
店頭メイクアップの予約の問合せに対する予約回答通知をメイクアップ店頭端末からメイクアップ支援サーバに送信する工程と、
メイクアップ支援サーバからユーザー端末に予約回答を送信する工程と、
ユーザー端末からメイクアップ支援サーバに予約回答に対する了承を送信し、メイクアップ支援サーバからメッセージアップ店舗の情報を含む予約情報を取得する工程と、
メイクアップ支援サーバからメイクアップ店頭端末にユーザー端末からの予約回答了承を送信する工程と、
メイクアップ支援サーバからメイクアップ店頭端末に予約回答了承が送信されると、メイクアップ支援サーバからユーザの顔の画像データ、前記メイクアップの候補、前記メイクアップ済みの顔の画像データ、メイクアップ済みの顔の画像データに対する前記アドバイスを取得する工程とを備えることを特徴とするメイクアップ支援方法。
【請求項４】
通信回線を経由するメイクアップ支援サーバにおいて、
通信回線を経由するユーザー端末から送信された顔の画像データ基づき複数のメイクアップの候補を作成し、複数のメイクアップの候補から任意のメイクアップ候補を選択し、メイクアップをさせるようにユーザー端末に送信する手段と、
ユーザー端末から送信されたメイクアップ済みの顔の画像データに対してメイクアップのアドバイスを作成し、前記ユーザー端末に送信する手段と、
メイクアップのアドバイスに基づく修正したメイクアップに満足できない場合、ユーザー端末から店頭メイクアップのアドバイスの予約を受ける手段と、
店頭メイクアップを行う店舗に配置され通信回線を経由しメイクアップ支援サーバの配下にある複数のメイクアップ店舗端末から選択した任意のメイクアップ店舗端末に対してメイクアップ支援サーバから店頭メイクアップの予約問合わせを行う手段と、
メイクアップ店舗端末からの予約回答通知を受けユーザー端末に予約回答を行い、メイクアップ店舗端末の情報を含む予約情報をユーザー端末に送信する手段と、
ユーザー端末からの予約回答了承をメイクアップ店舗端末に送信し、ユーザの顔の前記画像データ、前記メイクアップの候補、前記メイクアップ済みの顔の画像データ、メイクアップ済みの顔の画像データに対する前記アドバイスを送信する手段とを備えることを特徴とするメイクアップ支援サーバ。
【請求項５】
通信回線を経由するメイクアップ支援をコンピュータで実行するプログラムにおいて、
通信回線を経由してユーザー端末から送信された顔の画像データ基づき複数のメイクアップの候補を作成しユーザー端末に送信する手順と、
複数のメイクアップの候補から選択された任意のメイクアップ候補を選択し、複数のメイクアップの候補から選択されたメイクアップ候補に基づきメイクアップをしたメイクアップ済みの顔の画像データをユーザー端末から受信する手順と、
送信されたメイクアップ済みの顔の画像データに対してメイクアップのアドバイスを作成し、前記ユーザー端末に送信する手順と、
メイクアップのアドバイスに基づく修正したメイクアップに満足できない場合、ユーザー端末から店頭メイクアップのアドバイスの予約を受信する手順と、
店頭メイクアップを行う店舗に配置され通信回線を経由しメイクアップ支援サーバの配下にある複数のメイクアップ店舗端末から選択した任意のメイクアップ店舗端末に対してメイクアップ支援サーバから店頭メイクアップの予約問合わせを行う手順と、
メイクアップ店舗端末からの予約回答通知を受信しユーザー端末に予約回答を行い、メイクアップ店舗端末の情報を含む予約情報をユーザー端末に送信する手順と、
ユーザー端末からの予約回答了承を受信し、メイクアップ店舗端末に予約回答了承を送信し、さらに、ユーザの顔の前記画像データ、前記メイクアップの候補、前記メイクアップ済みの顔の画像データ、メイクアップ済みの顔の画像データに対する前記アドバイスを送信する手順とを備えることを特徴とするメイクアップ支援をコンピュータで実行するプログラム。
【発明の詳細な説明】
【技術分野】
【０００１】
本発明は遠隔でメイクアップのアドバイスを受けることができるメイクアップ支援システムに関する。特に、本発明は、仮想的なメイクアップのみならず、現実の自分の顔で的確なメイクアップのアドバイスを受けることができるメイクアップ支援システム及び方法に関する。
【背景技術】
【０００２】
従来は、メイクアップのアドバイスを受ける場合、直接、メイクアップアーティストにあわなければならず、誰でもアドバイスを受けることができない。
さらに、デパート等の相談コーナーでは、公衆の面前でメイクアップのアドバイスを受けるので、抵抗感を持つ人があり、誰でもアドバイスを受けることができない。
このような場合、通信回線を利用し、遠隔でメイクアップのアドバイスが得られれば、アドバイスを得るのに容易になるが、このような技術として、以下のようなものがある。
【０００３】
従来の化粧品販売方法では顧客が自宅にいながらも、カウンセリングを受け、顧客の肌に適合した化粧品を購入するために、複数の端末コンピュータからネットワーク４を経由してサーバ・コンピュータをアクセスすることにより、顧客が顧客の顔の画像を端末コンピュータからサーバ・コンピュータに送信し、販売会社におけるサーバ・コンピュータにおいて顧客の肌色情報に適合した化粧品を検索または調色し、販売窓口担当者が検索された化粧品または調色した化粧品を顧客にオンラインで提示してカウンセリングをリアルタイムで行い、提示された化粧品のうち購入したい化粧品を顧客がオンラインで注文するようにしている（例えば、特許文献１参照）。
【０００４】
また、従来のメイクアップアドバイスの提供方法では、アドバイス提供者は、顧客に対し、効率的且つ経済的にメイクアップに関する、きめ細やかなアドバイスを提供することができ、顧客は、時間や場所の制約を受けずに、気軽に、そのようなアドバイスを受けるようにするために、ネットワークを介して顧客にメイクアップに関するアドバイスを提供するメイクアップアドバイスの提供方法であって、顧客の顔画像を顧客から受信し、受信した該顔画像に仮想的にメイクアップを施したシミュレーション顔画像及びそのシミュレーション顔画像と同一のメイクアップを現実に実現するための商品及び／又は方法に関する情報を、該顧客に送信するようにしている（例えば、特許文献２参照）。
【０００５】
また、従来のメイクアップアドバイスの提供方法では、アドバイス提供者は、顧客に対し、効率的且つ経済的にメイクアップに関する、きめ細やかなアドバイスを提供することができ、顧客は、時間や場所の制約を受けずに、気軽に、そのようなアドバイスを受けるようにするため、顧客の顔画像を顧客から受信し、受信した該顔画像に仮想的にメイクアップを施したシミュレーション顔画像及びそのシミュレーション顔画像と同一のメイクアップを現実に実現するための商品及び／又は方法に関する情報を、該顧客に送信するメイクアップアドバイスの提供方法であって、シミュレーションの条件を、顧客の商品購入履歴、システム利用履歴又は問診への入力内容に応じて、決定するようにしている（例えば、特許文献３参照）。
【０００６】
また、従来のアドバイス型支援システムでは、現在まで、インターネットや携帯電話等で幾つもの種類の服装等や小物等や顔のメイクの仕方やいろいろな髪型や爪のメイクの仕方などは、雑誌で見たりコメントを読んだり、モデルさんの着たりしているのを見てまねをしたり買い物するだけで自分にあっているかどうかは自分だけの判断でしかなかったため、あらかじめ全身の写真や顔や手などの部分的な写真等を送っていただいたものにコンピューターグラフィック等を使ったり、また、自分の体型や理想の体型に自由自在に変えることができるマネキン等を作り登録していただき、また、あらかじめ好きなブランド
のメーカーやブランドのお店等も選んでもらい登録しそれらを使って、登録された人のいろいろな情報や注文をもとに、いろいろな専門家により、いろいろなアドバイスや提案をすることができるようにしたことで、自分にあった物を見つけることができる。また、自分が納得して買うのに参考にする充分な情報とすることができるようにしている（例えば、特許文献４参照）。
【０００７】
【特許文献１】特開２００２−０４１８３１
【特許文献２】特開２００２−１３２９１６
【特許文献３】特開２００２−０９２１３２
【特許文献４】特開２００２−１５９３３８
【発明の開示】
【発明が解決しようとする課題】
【０００８】
しかしながら、上記の従来技術のメイクアップが仮想的なメイクアップであるので、仮想的なメイクアップに満足できればよいが、不満足の場合には、現実の自分の顔でメイクアップの的確なアドバイスを受けたいという課題がある。
したがって、本発明は上記課題に鑑みて、仮想的なメイクアップのみならず、現実の自分の顔で的確なメイクアップのアドバイスを受けることができるメイクアップ支援システム、方法、サーバ及びコンピュータで実行されるプログラム
を提供することを目的とする。
【課題を解決するための手段】
【０００９】
本発明は前記問題点を解決するために、通信回線を経由するメイクアップ支援システムにおいて、通信回線を経由するユーザー端末からの顔の画像データに基づき複数のメイクアップの候補を作成し、前記ユーザー端末から選択されたメイクアップ候補に基づきメイクアップ済みの顔の画像データにアドバイスを行い、さらに、前記ユーザー端末からの前記店頭メイクアップの予約を受け、予約問合せ後に予約回答が通知され、前記ユーザー端末に予約の回答を行うメイクアップ支援サーバと、店頭メイクアップを行う店舗に配置され通信回線を経由する端末で、前記メイクアップ支援サーバの配下にあり、前記メイクアップ支援サーバにより選択され、前記メイクアップ支援サーバからの前記店頭メイクアップの予約問合せに対して前記メイクアップ支援サーバに予約回答通知を行い、前記メイクアップ支援サーバから、前記顔の画像データ、前記メイクアップの候補、前記メイクアップ済みの顔の画像データ、メイクアップ済みの顔の画像データに対する前記アドバイスを取得するメイクアップ店舗端末とを備えることを特徴とするメイクアップ支援システムを提供する。
【００１０】
さらに、前記メイクアップ支援サーバでは前記ユーザー端末から選択されたメイクアップ候補と共に手持化粧品リストが送信された場合、不足分の化粧品を送付したことを通知する。
さらに、通信回線を経由するメイクアップ支援方法において、通信回線を経由してユーザー端末からメイクアップ支援サーバに顔の画像データを送信する工程と、送信された顔の画像データに基づき複数のメイクアップの候補を作成し、メイクアップ支援サーバから、通信回線を経由して、ユーザ端末に送信する工程と、送信された複数のメイクアップの候補から選択されたメイクアップ候補に基づくメイクアップ済みの顔の画像データをユーザ端末からメイクアップ支援サーバに送信する工程と、送信されたメイクアップ済みの顔の画像データに基づきメイクアップのアドバイスを作成し、メイクアップ支援サーバからユーザ端末に送信する工程と、送信されたメイクアップのアドバイスに基づく修正に満足できない場合には店頭のメイクアップアドバイスの予約をユーザ端末からメイクアップ支援サーバに送信する工程と、店頭メイクアップを行う店舗に配置され通信回線を経由しメイクアップ支援サーバの配下にある複数のメイクアップ店舗端末から選択したメイクアップ店舗端末に対してメイクアップ支援サーバから店頭メイクアップの予約問合わせを行う工程と、店頭メイクアップの予約の問合せに対する予約回答通知をメイクアップ店頭端末からメイクアップ支援サーバに送信する工程と、店頭メイクアップを行う店舗に配置され通信回線を経由しメイクアップ支援サーバの配下にある複数のメイクアップ店舗端末から選択した任意のメイクアップ店舗端末に対してメイクアップ支援サーバから店頭メイクアップの予約問合わせを行う工程と、ユーザー端末からメイクアップ支援サーバに予約回答に対する了承を送信し、メイクアップ支援サーバからメッセージアップ店舗の情報を含む予約情報を取得する工程と、メイクアップ支援サーバからメイクアップ店頭端末にユーザー端末からの予約回答了承を送信する工程と、メイクアップ支援サーバからメイクアップ店頭端末に予約回答了承が送信されると、メイクアップ支援サーバからユーザの顔の画像データ、前記メイクアップの候補、前記メイクアップ済みの顔の画像データ、メイクアップ済みの顔の画像データに対する前記アドバイスを取得する工程とを備えることを特徴とするメイクアップ支援方法を提供する。
【００１１】
さらに、本発明は、通信回線を経由するメイクアップ支援サーバにおいて、通信回線を経由するユーザー端末から送信された顔の画像データ基づき複数のメイクアップの候補を作成し、複数のメイクアップの候補から任意のメイクアップ候補を選択し、メイクアップをさせるようにユーザー端末に送信する手段と、ユーザー端末から送信されたメイクアップ済みの顔の画像データに対してメイクアップのアドバイスを作成し、前記ユーザー端末に送信する手段と、メイクアップのアドバイスに基づく修正したメイクアップに満足できない場合、ユーザー端末から店頭メイクアップのアドバイスの予約を受ける手段と、店頭メイクアップを行う店舗に配置され通信回線を経由しメイクアップ支援サーバの配下にある複数のメイクアップ店舗端末から選択した任意のメイクアップ店舗端末に対してメイクアップ支援サーバから店頭メイクアップの予約問合わせを行う手段と、メイクアップ店舗端末の情報を含む予約情報をユーザー端末に送信する手段と、ユーザー端末からの予約回答了承をメイクアップ店舗端末に送信し、ユーザの顔の前記画像データ、前記メイクアップの候補、前記メイクアップ済みの顔の画像データ、メイクアップ済みの顔の画像データに対する前記アドバイスを送信する手段とを備えることを特徴とするメイクアップ支援サーバを提供する。
【００１２】
さらに、本発明は、通信回線を経由するメイクアップ支援をコンピュータで実行するプログラムにおいて、通信回線を経由してユーザー端末から送信された顔の画像データ基づき複数のメイクアップの候補を作成しユーザー端末に送信する手順と、複数のメイクアップの候補から選択された任意のメイクアップ候補を選択し、複数のメイクアップの候補から選択されたメイクアップ候補に基づきメイクアップをしたメイクアップ済みの顔の画像データをユーザー端末から受信する手順と、送信されたメイクアップ済みの顔の画像データに対してメイクアップのアドバイスを作成し、前記ユーザー端末に送信する手順と、メイクアップのアドバイスに基づく修正したメイクアップに満足できない場合、ユーザー端末から店頭メイクアップのアドバイスの予約を受信する手順と、通信回線を経由してメイクアップ店舗端末に対して店頭メイクアップのアドバイスの予約問合せを行う手順と、メイクアップ店舗端末からの予約回答通知を受信しユーザー端末に予約回答を行い、メイクアップ店舗端末の情報を含む予約情報をユーザー端末に送信する手順と、ユーザー端末からの予約回答了承を受信し、メイクアップ店舗端末に予約回答了承を送信し、さらに、ユーザの顔の前記画像データ、前記メイクアップの候補、前記メイクアップ済みの顔の画像データ、メイクアップ済みの顔の画像データに対する前記アドバイスを送信する手順とを備えることを特徴とするメイクアップ支援をコンピュータで実行するプログラムを提供する。
【発明の効果】
【００１３】
以上説明したように、本発明によれば、専門家のメイクアップ業者に、自宅にいながらメイクアップの指導を受けることが可能になり、仮想的なメイクアップのみならず、さらに、店頭メイクアップアドバイスで現実の自分の顔で的確なメイクアップのアドバイスを受けることができる。
さらに、ユーザーはメイクアップ業者から不足の化粧品が自動的に送付してもらうことが可能になる。
【発明を実施するための最良の形態】
【００１４】
図１は本発明に係るメイクアップ支援システムの概略構成を示す図である。本図に示すように、メイクアップ支援システムは通信回線２００に接続されるメイクアップ支援サーバ１０１と、通信回線２００に接続される複数のユーザー端末１０２と、通信回線２００に接続される複数のメイクアップ店舗端末１０３から構成される。通信回線２００はインターネットである。
【００１５】
メイクアップ支援サーバ１０１はメイク業者が作成したユーザーのメイクアップ候補をユーザーに提供し、メイク業者が作成したユーザーのメイクアップに対するアドバイスをユーザーに提供する機能、ユーザーからの店頭メイクアップアドバイスの予約をメイクアップ店舗に問合せする機能を有する。
メイクアップ支援サーバ１０１は配下に複数のメイクアップ店舗端末１０３を支配し、メイクアップ支援サーバ１０１では、仮想的なメイクアップのアドバイスが行われるが、メイクアップ店舗端末１０３では、メイクアップ支援サーバ１０１による仮想的なメイクアップのアドバイスに満足できないユーザーに対して、現実のユーザーの顔で的確なメイクアップのアドバイスが行われる。
【００１６】
さらに、メイクアップ支援サーバ１０１はメールサーバ機能とＷｅｂサーバ機能を有するコンピュータ等の情報処理装置であり、メールサーバ機能、Ｗｅｂサーバ機能を動作させるプログラムを有する。このプログラムはコンピュータで読み取り可能な記録媒体に記録され、この記録媒体で他のコンピュータの利用を可能とする。
ユーザー端末１０２は、ユーザーの顔データに基づきメイクアップ候補をメイク業者に作成してもらう機能を有し、気に入ったメイクアップ候補に基づくメイクアップ済み画像メイクアップに対しアドバイスを受ける機能を有し、さらに、店頭メイクアップのアドバイスの予約を要望する機能を有する。
【００１７】
メイクアップ店舗端末１０３は店頭メイクアップを行う店舗に配置される端末で、メイク業者からのメイクアップの問合せを受け、問合せに予約回答を通知し、予約回答了承に対しメイクアップ済み画像メイクアップ、メイクアップ済み画像メイクアップに対するアドバイス等の情報を受ける機能を有する。メイクアップのアドバイスに対する下準備のためである。
【００１８】
図２は図１におけるメイクアップ支援システムの動作例を説明するフローチャートである。
ステップＳ１１において、ユーザー端末１０２からメイクアップ支援サーバ１０１に通信回線２００を介してアクセスが行われる。
ステップＳ１２において、ユーザー端末１０２からメイクアップ支援サーバ１０１にユーザーの固有情報、撮影されたユーザーの顔の画像データが送信される。
【００１９】
ステップＳ１３において、メイクアップ支援サーバ１０１で受信したユーザの顔の画像データに基づき、メイクアップ候補が作成される。
ステップＳ１４において、メイクアップ候補が作成されると、メイクアップ支援サーバ１０１からユーザー端末１０２にメイクアップ候補の作成完了のＥメールが通信回線２００を介して送信される。
【００２０】
ステップＳ１５において、ユーザー端末１０２では作成完了のＥメールを受信すると、ユーザー端末１０２からメイクアップ支援サーバ１０１にアクセスが行われ、ユーザー端末１０２ではメイクアップ支援サーバ１０１からメイクアップ候補が受信される。
ステップＳ１６では、ユーザー端末１０２で受信されたメイクアップ候補の中からユーザーの好みによりメイクアップ候補が決定される。
【００２１】
ステップＳ１７において、決定されたメイクアップが実施される。実施されたメイクアップの顔の撮影が行われ、ユーザー端末１０２からメイクアップ支援サーバ１０１にメイクアップ済みの顔の画像データが送信される。
ステップＳ１８において、メイクアップ支援サーバ１０１ではユーザー端末１０２から画像データを受信すると、メイクアップ済みの顔の画像データに基づきメイクアップを修正するメイクアップのアドバイスが作成される。
【００２２】
ステップＳ１９において、メイクアップ支援サーバ１０１からユーザー端末１０２にアドバイス作成完了のＥメールが送信される。
ステップＳ２０において、アドバイス作成完了のＥメールを受信すると、ユーザー端末１０２からメイクアップ支援サーバ１０１にアクセスが行われ、ユーザー端末１０２ではメイクアップ支援サーバ１０１からメイクアップの修正ポイントのアドバイスが受信される。
【００２３】
ステップＳ２１において、ユーザー端末１０２では受信されたメイクアドレスの修正ポイントのアドバイスに基づきユーザーによりメイクアップ修正が実施される。
メイクアップ候補作成、メイクアップ済みの顔の画像データに対するメイクアップのアドバイスの代金支払いが行われる。
メイクアドレスのアドバイスに基づくメイクアップ修正ポイントに満足できない場合について、以下に説明を行う。
【００２４】
ステップＳ２２において、ユーザー端末１０２からメイクアップ支援サーバ１０１にアクセスが行われる。
ステップＳ２３において、ユーザー端末１０２からメイクアップ支援サーバ１０１に店頭メイクアップアドバイスの予約要望が送信される。
ステップＳ２４において、メイクアップ支援サーバ１０１では、ユーザー端末１０２から店頭メイクアップアドバイスの予約要望を受信すると、メイクアップ支援サーバ１０１では配下にある複数のメイクアップ店舗端末１０３の中から検索し、ユーザーに地理的に近いメイクアップ店舗端末１０３が選択される。
【００２５】
なお、ステップＳ１６でメイクアップ候補の中から決定したメイクアップ候補のユーザーの好みにより店舗が選択されるようにしてもよい。
さらに、ユーザーの指定により店舗が選択されるようにしてもよい。
ステップＳ２５において、メイクアップ支援サーバ１０１から選択されたメイクアップ店舗端末１０３に店頭メイクアップアドバイスの予約問合せのＥメールが送信される。
【００２６】
ステップＳ２６において、メイクアップ支援サーバ１０１から店頭メイクアップアドバイスの予約問合せのＥメールを受信すると、メイクアップ店舗端末１０３では店頭メイクアップアドバイスの予約が検討される。
ステップＳ２７において、メイクアップ店舗端末１０３からメイクアップ支援サーバ１０１にアクセスがおこなわれる。
【００２７】
ステップＳ２８において、メイクアップ店舗端末１０３からメイクアップ支援サーバ１０１にメイクアップ店舗端末１０３では店頭メイクアップアドバイスの予約回答通知が送信される。
ステップＳ２９において、メイクアップ店舗端末１０３から店頭メイクアップアドバイスの予約回答通知を受信すると、メイクアップ支援サーバ１０１からユーザー端末１０２に店頭メイクアップアドバイスの予約回答のＥメールが送信される。
【００２８】
ステップＳ３０において、メイクアップ支援サーバ１０１から店頭メイクアップアドバイスの予約回答のＥメールを受信すると、ユーザー端末１０２からメイクアップ支援サーバ１０１にアクセスが行われる。
ステップＳ３１において、ユーザー端末１０２では、メイクアップ支援サーバ１０１からメイクアップ店舗端末１０３の店頭メイクアップ予約情報が取得される。この店頭メイクアップ予約情報にはメイクアップアドバイスを受ける日時、店舗までの地図、費用等の情報が含まれる。
【００２９】
ステップＳ３２において、ユーザー端末１０２からメイクアップ支援サーバ１０１に店頭メイクアップアドバイスの予約回答の了承が送信される。
ステップＳ３３において、ユーザー端末１０２から店頭メイクアップアドバイスの予約回答の了承を受信すると、メイクアップ支援サーバ１０１からメイクアップ店舗端末１０３に店頭メイクアップアドバイスの予約回答了承のＥメールが送信される。
【００３０】
ステップＳ３４において、メイクアップ店舗端末１０３では店頭メイクアップアドバイスの予約回答了承のＥメールを受信すると、メイクアップ店舗端末１０３からメイクアップ支援サーバ１０１にアクセスが行われる。
ステップＳ３５において、メイクアップ店舗端末１０３ではメイクアップ支援サーバ１０１からユーザーの固有情報、撮影されたユーザーの顔の画像データ、メイクアップ候補、メイクアップ済みの顔の画像データ、メイクアップ済みの顔の画像データに対するアドバイス等のユーザー情報が取得される。
【００３１】
ステップＳ３６において、メイクアップ店舗で、ユーザーの店頭メイクアップが実施され、代金請求がユーザーに対して行われる。
このようにして、専門家のメイクアップ業者に、自宅にいながらメイクアップの指導を受けることが可能になり、仮想的なメイクアップのみならず、さらに、店頭メイクアップアドバイスで現実の自分の顔で的確なメイクアップのアドバイスを受けることができる。
【実施例１】
【００３２】
図３は図２におけるメイクアップ支援システムの動作例の変形例を説明するシーケンス図である。
本図に示すように、図２と比較して、ステップＳ４６において、ユーザー端末１０２で受信されたメイクアップ候補の中からユーザーの好みによりメイクアップ候補が決定され、決定されたメッセージ候補、ユーザーの手持化粧品リストがユーザー端末１０２からメイクアップ支援サーバ１０１に送信される。
【００３３】
ステップＳ４７において、ユーザー端末１０２から決定されたメッセージ候補、手持化粧品リストを受信すると、メイクアップ業者では手持化粧品と必要な化粧品を照合し、化粧品の不足分を送付する。
ステップＳ４８において、メイクアップ支援サーバ１０１からユーザー端末１０２に化粧品の不足分送付のＥメールが送信される。
このようにして、ユーザーはメイクアップ業者から不足の化粧品が自動的に送付してもらうことも可能になる。
【図面の簡単な説明】
【００３４】
【図１】本発明に係るメイクアップ支援システムの概略構成を示す図である。
【図２】図１におけるメイクアップ支援システムの動作例を説明するフローチャートである。
【図３】図２におけるメイクアップ支援システムの動作例の変形例を説明するシーケンス図である。
【符号の説明】
【００３５】
１０１…メイクアップ支援サーバ
１０２…ユーザー端末
１０３…メイクアップ店舗端末
２００…通信回線
【図１】
2005044195.tif 000003
【図２】
2005044195.tif 000004
【図３】
2005044195.tif 000005